(57)【要約】【課題】接地部材に対して脚部の先端方向に外力が加わった場合でも、接地部材が脚部から容易に離脱することを防止できるとともに、使用者が簡易に接地部材の交換作業を行うことが可能となる、接地部材、及び、接地部材を備える昇降道具を提供する。【解決手段】接地部材１０は、脚立１の脚部６に固定されるブラケット２０と、ブラケット２０に着脱可能とされるソール３０と、を備え、ブラケット２０は第一壁部２１、第二壁部２２、及び、第三壁部２３を備え、第二壁部２２と第三壁部２３との間にはリブ２４が形成され、ソール３０は、リブ２４よりもブラケット２０の上端側で、第二壁部２２と第三壁部２３の間の空間に介挿される係合ブロック部３１と、ブラケット２０の底面２０ｂを被覆する板状の接地部３２と、係合ブロック部３１と接地部３２とをリブ２４を跨いで連結する、連結部３３と、を備える。【選択図】図５
2019070264.tif 000002
【特許請求の範囲】
【請求項１】
長尺体である固定対象物の端部に一端側が固定されるブラケットと、前記ブラケットの他端側に着脱可能とされるソールと、を備える接地部材であって、
前記ブラケットは、
それぞれが前記固定対象物の軸方向に対して平行となるように形成される第一壁部、第二壁部、及び、第三壁部を備え、
前記第一壁部は前記固定対象物の前記端部に組付けられ、
前記第二壁部は前記第一壁部に対して略直交して連続し、
前記第三壁部は前記第二壁部と対向するように前記第一壁部に対して略直交して連続し、
前記第二壁部と前記第三壁部との間における前記他端側には、前記固定対象物の軸心と交差する平面上に、前記第一壁部、前記第二壁部、及び、前記第三壁部の少なくとも何れか一つと連続するリブが形成され、
前記ソールは、
前記リブよりも前記ブラケットの前記一端側で、前記第二壁部と前記第三壁部の間の空間に介挿される係合ブロック部と、
前記ブラケットの前記他端側の面を被覆する板状の接地部と、
前記係合ブロック部と前記接地部とを、前記第二壁部と前記第三壁部との間で前記リブを跨いで連結する、連結部と、を備える、接地部材。
【請求項２】
前記ブラケットにおける前記他端側の端面と、前記ソールの前記接地部における前記ブラケット側の面と、の何れか一方には係合溝部が形成され、他方には前記ブラケットに前記ソールを組付けた際に前記係合溝部と係合する係合突起部が形成される、請求項１に記載の接地部材。
【請求項３】
前記ブラケットの前記第二壁部及び前記第三壁部における互いに対向する両面と、前記ソールの前記係合ブロック部における前記第二壁部及び前記第三壁部の側に向かって互いに背向する両面と、の何れか一方には係合凹部が形成され、他方には前記ブラケットに前記ソールを組付けた際に前記係合凹部と係合する係合凸部が形成される、請求項１又は請求項２に記載の接地部材。
【請求項４】
前記ブラケットが硬化性素材で形成され、前記ソールが前記ブラケットよりも剛性が低く弾性変形可能な素材で形成される、請求項１から請求項３の何れか１項に記載の接地部材。
【請求項５】
前記ソールの前記係合ブロック部には、前記第二壁部に対向する面と前記第三壁部に対向する面とを連通する連通孔が開孔される、請求項１から請求項４の何れか１項に記載の接地部材。
【請求項６】
前記ソールの前記係合ブロック部における前記接地部と反対側の端面には、前記第二壁部と直交する方向に切り欠き溝が形成される、請求項１から請求項５の何れか１項に記載の接地部材。
【請求項７】
前記ソールの前記係合ブロック部と前記接地部との間には、前記係合ブロック部と前記接地部とを連結する補強リブが前記連結部と略直交して連続し、
前記リブには、前記ブラケットに前記ソールを組付けた際に前記補強リブが挿入されるスリットが形成される、請求項１から請求項６の何れか１項に記載の接地部材。
【請求項８】
前記ブラケットの前記リブにおける前記係合ブロック部に対向する面と、前記ソールの前記係合ブロック部における前記接地部側の端面と、の何れか一方には係合孔部が形成され、他方には前記ブラケットに前記ソールを組付けた際に前記係合孔部と係合する係合爪部が形成される、請求項１から請求項７の何れか１項に記載の接地部材。
【請求項９】
前記第二壁部は前記固定対象物の軸方向の長さが前記第三壁部よりも前記他端側に短く形成され、
前記ソールの前記接地部は前記固定対象物の軸方向に対して傾斜して設けられる、請求項１から請求項８の何れか１項に記載の接地部材。
【請求項１０】
一対の支柱と、前記一対の支柱の間に架け渡された踏桟と、前記一対の支柱の下部を構成する前記固定対象物である脚部と、該脚部の端部に固定された請求項１から請求項９の何れか１項に記載の接地部材と、を備える、昇降道具。
【請求項１１】
前記脚部は、それぞれが前記脚部の軸方向に対して平行となるように形成される第一板部、第二板部、及び、第三板部を備え、
前記第二板部は前記第一板部に対して略直交して連続し、
前記第三板部は前記第二板部と対向するように前記第一板部に対して略直交して連続し、
前記ブラケットの前記第一壁部における前記一端側の端面には、第一挿入溝部が形成され、
前記ブラケットの前記第二壁部における前記一端側の端面には、前記第一挿入溝部と連通する第二挿入溝部が形成され、
前記ブラケットの前記第三壁部における前記一端側の端面には、前記第一挿入溝部と連通する第三挿入溝部が形成され、
前記ブラケットは、前記第一挿入溝部、前記第二挿入溝部、及び、前記第三挿入溝部に、前記脚部の前記第一板部、前記第二板部、及び、前記第三板部がそれぞれ挿入されることにより前記脚部に位置決めされる、請求項１０に記載の昇降道具。
【請求項１２】
一の支柱と、前記一の支柱に対して近接離間可能な他の支柱と、を備え、
前記接地部材として、前記一の支柱の脚部に固定される一の接地部材と、前記他の支柱の脚部に固定される他の接地部材と、を備え、
前記一の接地部材における前記他の接地部材と対向する側の面には、前記一の支柱の軸方向に沿って突出する突条部が形成され、
前記他の接地部材における前記一の接地部材と対向する側の面には、前記他の支柱の軸方向に沿って陥没する溝条部が形成され、
前記一の支柱と前記他の支柱とが近接した際には、前記突条部が前記溝条部に挿入される、請求項１０又は請求項１１に記載の昇降道具。
【発明の詳細な説明】
【技術分野】
【０００１】
本発明は、昇降道具における脚部の下端に固定される接地部材、及び、接地部材を備える昇降道具に関する。
【背景技術】
【０００２】
従来、一対の支柱と、この一対の支柱の間に架け渡された踏桟と、を有する梯子体を使用者が昇り降りして用いる昇降道具として、梯子、脚立、踏台、三脚、足場台等が知られている（例えば、特許文献１を参照）。このような昇降道具において、支柱の下部を構成する脚部によって床面が傷まないように、また、脚部の摩耗等を低減させるために、脚部の下端に樹脂製の接地部材を固定したものが用いられている。
【先行技術文献】
【特許文献】
【０００３】
【特許文献１】特開２０１６−３３３０５号公報
【発明の概要】
【発明が解決しようとする課題】
【０００４】
前記特許文献１に記載の昇降道具である梯子兼用脚立（１）においては、支柱（３）の下端部（脚部）に、接地部材であるキャップ状の端具（５）が嵌め被された状態で取り付けられている。このように構成された昇降道具の場合、昇降道具を運搬する際に脚部から接地部材が離脱する可能性がある。特に、脚部の先端方向に脚部と接地部材との摩擦力よりも大きな外力が接地部材に対して加わった場合には、脚部から接地部材が離脱する可能性が高くなる。
【０００５】
脚部からの接地部材の離脱を防止するために、脚部の下端部に対して接地部材をリベットやネジ等の固定具を用いて固定した昇降道具も存在する。しかし、この場合は摩耗等によって接地部材を交換する必要があるときに、接地部材を脚部から着脱する作業が煩雑となり、使用者の作業負担が大きくなっていた。
【０００６】
本発明は以上の如き状況に鑑みてなされたものであり、本発明が解決しようとする課題は、脚部の先端方向に外力が加わった場合でも脚部から容易に離脱することを防止できるとともに、使用者が簡易に交換作業を行うことが可能となる、接地部材、及び、接地部材を備える昇降道具を提供することである。
【課題を解決するための手段】
【０００７】
以下では、上記課題を解決するための手段を説明する。
【０００８】
本発明に係る接地部材は、長尺体である固定対象物の端部に一端側が固定されるブラケットと、前記ブラケットの他端側に着脱可能とされるソールと、を備える接地部材であって、前記ブラケットは、それぞれが前記固定対象物の軸方向に対して平行となるように形成される第一壁部、第二壁部、及び、第三壁部を備え、前記第一壁部は前記固定対象物の前記端部に組付けられ、前記第二壁部は前記第一壁部に対して略直交して連続し、前記第三壁部は前記第二壁部と対向するように前記第一壁部に対して略直交して連続し、前記第二壁部と前記第三壁部との間における前記他端側には、前記固定対象物の軸心と交差する平面上に、前記第一壁部、前記第二壁部、及び、前記第三壁部の少なくとも何れか一つと連続するリブが形成され、前記ソールは、前記リブよりも前記ブラケットの前記一端側で、前記第二壁部と前記第三壁部の間の空間に介挿される係合ブロック部と、前記ブラケットの前記他端側の面を被覆する板状の接地部と、前記係合ブロック部と前記接地部とを、前記第二壁部と前記第三壁部との間で前記リブを跨いで連結する、連結部と、を備えるものである。
【０００９】
また、本発明に係る接地部材は、前記ブラケットにおける前記他端側の端面と、前記ソールの前記接地部における前記ブラケット側の面と、の何れか一方には係合溝部が形成され、他方には前記ブラケットに前記ソールを組付けた際に前記係合溝部と係合する係合突起部が形成されるものである。
【００１０】
また、本発明に係る接地部材は、前記ブラケットの前記第二壁部及び前記第三壁部における互いに対向する両面と、前記ソールの前記係合ブロック部における前記第二壁部及び前記第三壁部の側に向かって互いに背向する両面と、の何れか一方には係合凹部が形成され、他方には前記ブラケットに前記ソールを組付けた際に前記係合凹部と係合する係合凸部が形成されるものである。
【００１１】
また、本発明に係る接地部材は、前記ブラケットが硬化性素材で形成され、前記ソールが前記ブラケットよりも剛性が低く弾性変形可能な素材で形成されるものである。
【００１２】
また、本発明に係る接地部材は、前記ソールの前記係合ブロック部には、前記第二壁部に対向する面と前記第三壁部に対向する面とを連通する連通孔が開孔されるものである。
【００１３】
また、本発明に係る接地部材は、前記ソールの前記係合ブロック部における前記接地部と反対側の端面には、前記第二壁部と直交する方向に切り欠き溝が形成されるものである。
【００１４】
また、本発明に係る接地部材は、前記ソールの前記係合ブロック部と前記接地部との間には、前記係合ブロック部と前記接地部とを連結する補強リブが前記連結部と略直交して連続し、前記リブには、前記ブラケットに前記ソールを組付けた際に前記補強リブが挿入されるスリットが形成されるものである。
【００１５】
また、本発明に係る接地部材は、前記ブラケットの前記リブにおける前記係合ブロック部に対向する面と、前記ソールの前記係合ブロック部における前記接地部側の端面と、の何れか一方には係合孔部が形成され、他方には前記ブラケットに前記ソールを組付けた際に前記係合孔部と係合する係合爪部が形成されるものである。
【００１６】
また、本発明に係る接地部材は、前記第二壁部は前記固定対象物の軸方向の長さが前記第三壁部よりも前記他端側に短く形成され、前記ソールの前記接地部は前記固定対象物の軸方向に対して傾斜して設けられるものである。
【００１７】
また、本発明に係る接地部材を備える昇降道具は、一対の支柱と、前記一対の支柱の間に架け渡された踏桟と、前記一対の支柱の下部を構成する前記固定対象物である脚部と、該脚部の端部に固定された請求項１から請求項９の何れか１項に記載の接地部材と、を備えるものである。
【００１８】
また、本発明に係る接地部材を備える昇降道具は、前記脚部は、それぞれが前記脚部の軸方向に対して平行となるように形成される第一板部、第二板部、及び、第三板部を備え、
前記第二板部は前記第一板部に対して略直交して連続し、前記第三板部は前記第二板部と対向するように前記第一板部に対して略直交して連続し、前記ブラケットの前記第一壁部における前記一端側の端面には、第一挿入溝部が形成され、前記ブラケットの前記第二壁部における前記一端側の端面には、前記第一挿入溝部と連通する第二挿入溝部が形成され、前記ブラケットの前記第三壁部における前記一端側の端面には、前記第一挿入溝部と連通する第三挿入溝部が形成され、前記ブラケットは、前記第一挿入溝部、前記第二挿入溝部、及び、前記第三挿入溝部に、前記脚部の前記第一板部、前記第二板部、及び、前記第三板部がそれぞれ挿入されることにより前記脚部に位置決めされるものである。
【００１９】
また、本発明に係る接地部材を備える昇降道具は、一の支柱と、前記一の支柱に対して近接離間可能な他の支柱と、を備え、前記接地部材として、前記一の支柱の脚部に固定される一の接地部材と、前記他の支柱の脚部に固定される他の接地部材と、を備え、前記一の接地部材における前記他の接地部材と対向する側の面には、前記一の支柱の軸方向に沿って突出する突条部が形成され、前記他の接地部材における前記一の接地部材と対向する側の面には、前記他の支柱の軸方向に沿って陥没する溝条部が形成され、前記一の支柱と前記他の支柱とが近接した際には、前記突条部が前記溝条部に挿入されるものである。
【発明の効果】
【００２０】
本発明に係る接地部材、及び、接地部材を備える昇降道具によれば、接地部材に対して脚部の先端方向に外力が加わった場合でも、接地部材が脚部から容易に離脱することを防止できるとともに、使用者が簡易に接地部材の交換作業を行うことが可能となる、という効果を奏する。
【図面の簡単な説明】
【００２１】
【図１】一実施形態に係る接地部材を備える脚立を示す斜視図。
【図２】同じく脚立を示す正面図。
【図３】同じく脚立を示す左側面図。
【図４】脚部を示す拡大斜視図。
【図５】脚部と接地部材と組付構成を示す斜視図。
【図６】接地部材の各部を示す上方斜視図。
【図７】接地部材の各部を示す下方斜視図。
【図８】図３におけるＸ−Ｘ線断面図。
【図９】図３におけるＹ−Ｙ線断面図。
【発明を実施するための形態】
【００２２】
以下では図１から図３を用いて、一実施形態に係る接地部材１０を備える昇降道具である梯子兼用脚立（以下、単に「脚立」と記載する）１について説明する。本実施形態において、脚立１は接地部材１０を備える昇降道具の一例として記載するものである。即ち、接地部材１０は梯子兼用脚立の他に、専用梯子、専用脚立、踏台、三脚、足場台等、使用者が昇降するために一対の支柱の間に踏桟が架け渡された梯子体を備える他の昇降道具について、全般的に適用することが可能である。
【００２３】
図１から図３に示すように、本実施形態に係る脚立１は、互いに共通の構成を有する一対の梯子体２・２を備える。梯子体２・２は側面視で略ハ字状に下端部が互いに離間して広がり、それぞれの上端部が連結されて構成される。それぞれの梯子体２は長尺体である一対の支柱３・３を備える。支柱３・３は互いの距離が上側より下側が大きくなるように（正面視で略ハ字状に）配置されている。即ち、本実施形態に係る脚立１は４本の支柱３を備えている。支柱３の下端部には脚部６が形成され、脚部６の下端には接地部材１０が固定される。梯子体２における一対の支柱３・３の間には、所定の間隔を隔てて複数の踏桟４・４・・・が架け渡される。本実施形態に係る脚立１において、各支柱３及び踏桟４はアルミニウムまたはアルミニウム合金からなる軽金属製の部材である。また、各支柱３は、強度の確保等を目的として、軸方向と直交する断面の形状が略コ字状になるように折り曲げられて形成されている。
【００２４】
脚立１において一対の梯子体２・２は、対向するヒンジ５・５で連結される。梯子体２・２はヒンジ５・５で連結されることにより、踏桟４の架設方向（踏桟４が架け渡される方向）と平行に軸心方向を有する回動軸Ａ（図１及び図２中の一点鎖線を参照）を中心として回動可能とされる。
【００２５】
脚立１は、一対の梯子体２・２のなす角度（詳細には、梯子体２・２の相対的な回動によって近接離間する支柱３・３が側面視においてなす角度）に応じて、主に三つの形態をとることができる。第一の形態は図１に示す如く梯子体２・２のなす角度を約３０度として、４本の支柱３で脚立１を支える形態（以下、この形態を「脚立形態」と記載する）である。第二の形態は、梯子体２・２のなす角度を約１８０度として、一側の２本の支柱３で脚立１を支える形態（以下、この形態を「梯子形態」と記載する）である。第三の形態は、梯子体２・２のなす角度を約０度に近接させる形態（以下、この形態を「収納形態」と記載する）である。
【００２６】
本実施形態においては図１中の矢印に示す如く、回動軸Ａの軸方向（踏桟４の架設方向）を脚立状態における脚立１の左右方向とし、水平方向において左右方向と直交する方向（梯子体２・２の開閉方向）を脚立１の前後方向とし、左右方向及び前後方向と直交する方向を脚立１の上下方向と規定する。本実施形態においては図１に示す如く、前側の梯子体２を第一梯子体２Ａ、後側の梯子体２を第二梯子体２Ｂと記載する。以下においては、梯子体２の説明として第一梯子体２Ａについて記載することにより、第二梯子体２Ｂの詳細な説明を省略する。
【００２７】
また、本実施形態においては図１に示す如く、第一梯子体２Ａにおいて左側に配置される支柱３を第一支柱３Ａ、第二梯子体２Ｂにおいて左側に配置される支柱３を第二支柱３Ｂ、第一梯子体２Ａにおいて右側に配置される支柱３を第三支柱３Ｃ、第二梯子体２Ｂにおいて右側に配置される支柱３を第四支柱３Ｄと記載する。即ち、第一梯子体２Ａは第一支柱３Ａと第三支柱３Ｃが一対となって構成され、第二梯子体２Ｂは第二支柱３Ｂと第四支柱３Ｄが一対となって構成されているのである。以下においては、支柱３の説明として第一支柱３Ａについて記載することにより、第二支柱３Ｂ〜第四支柱３Ｄの詳細な説明を省略する。
【００２８】
各支柱３の下部（具体的には、支柱３のうち最下段に配設された踏桟４よりも下の部分）は脚立１の脚部６として構成されている。本実施形態においては、第一支柱３Ａ〜第四支柱３Ｄに対応する脚部６を、それぞれ第一脚部６Ａ〜第四脚部６Ｄと記載している。
【００２９】
脚部６は、支柱３と同様に軸方向視で断面形状が略コ字状に折り曲げられて形成されている。具体的には図５に示す如く、脚部６はそれぞれが軸方向に対して平行となるように形成される第一板部６１、第二板部６２、及び、第三板部６３を備えている。本実施形態において第一板部６１は脚立１の左右方向外側に配置される。第一板部６１の下部には第一板部６１を貫通する固定孔６１ａが開孔されている。第二板部６２は脚立１の前後方向内側（第一脚部６Ａにおいては後側）で第一板部６１に対して略直交して連続して配置される。第三板部６３は脚立１の前後方向外側（第一脚部６Ａにおいては前側）で第二板部６２と対向するように第一板部６１に対して略直交して連続して配置される。
【００３０】
梯子体２・２は、対向するヒンジ５・５で連結されることにより回動可能とされる。具体的には図３に示す如く、ヒンジ５は第一ヒンジ部５ａと第二ヒンジ部５ｂとが回動支持部５ｃで回動可能に連結されている。左右方向について同じ側にある支柱３の上端部に、それぞれ第一ヒンジ部５ａと第二ヒンジ部５ｂとが固定される。これにより、ヒンジ５が第一支柱３Ａと第二支柱３Ｂ、及び、第三支柱３Ｃと第四支柱３Ｄを相対的に回動可能に連結する。即ち、梯子体２・２が互いに近接離間する方向（図１においては脚立１の前後方向）に回動可能とされるのである。
【００３１】
踏桟４は左右方向を軸方向とする直線状の部材である。踏桟４は、所定の横断面形状をなす直線状の押出し成形品が所定の長さに切断されて形成されている。支柱３・３の最上部には、前後方向幅が大きく形成された踏桟４である天板４ａが配設されている。それぞれの踏桟４はリベット４ｂにより支柱３に固定されている。
【００３２】
各踏桟４には、上面と下面とのそれぞれに凹凸が形成されている。このように、脚立１は脚立形態、梯子形態の何れの形態で使用した場合でも、使用者の足が滑りにくいように構成されている。また、最下段に配設された踏桟４の左右両端における下面には補強材である踏桟リブ４ｃが固定される。そして、踏桟リブ４ｃの下端部が脚部６に固定されることにより、脚部６及び最下段の踏桟４の強度を大きくしている。
【００３３】
脚立１を上記の脚立形態又は梯子形態とする際には、ロック部７により梯子体２・２のなす角度が規定されるとともに相対的な回動が規制される。ロック部７は、梯子体２・２の上端部に設けられている。ロック部７は、互いに連結される一対の梯子体２・２において、左右方向について同じ側にある支柱３同士（本実施形態においては第一支柱３Ａと第二支柱３Ｂ、及び、第三支柱３Ｃと第四支柱３Ｄ）を連結する。
【００３４】
第一支柱３Ａと第二支柱３Ｂとの相対的な回動をロック部７により規制する構成について、図３を用いて詳細に説明する。なお、第三支柱３Ｃと第四支柱３Ｄとの回動をロック部７により規制する構成は、第一支柱３Ａと第二支柱３Ｂとにおける構成と同様であるため、詳細な説明は省略する。
【００３５】
図３に示す如く、ロック部７は、第一ロック板７ａと、第二ロック板７ｂとを備える。第一ロック板７ａは後端部が第一支柱３Ａ（第四支柱３Ｄも同様、以下同じ）の上部において回動軸７ｃで回動可能に軸支されている。第二ロック板７ｂはその後端部が第一ロック板７ａの前端部と回動支点７ｄで回動可能に連結されている。第二ロック板７ｂは図示しないストッパにより第一ロック板７ａに対する角度領域が規制されている。具体的には、第二ロック板７ｂは、回動支点７ｄを中心として第一ロック板７ａから反時計回り方向の角度が０度から１８０度の範囲で回動可能とされている。このため、第一ロック板７ａ及び第二ロック板７ｂは、図３に示す如く直線状に連続した状態から回動支点７ｄが下方に変位することはない。
【００３６】
第二ロック板７ｂの前端部には、係合部７ｅが形成されている。係合部７ｅはねじりバネにより付勢された係合部材と、係合部材の変位によって拡大・縮小が可能な係合孔と、を備えている。脚立１を脚立形態とする場合は図１及び図３に示す如く、梯子体２・２のなす角度を約３０度に開いた状態で、係合部７ｅを第二支柱３Ｂ（第三支柱３Ｃも同様、以下同じ）の上部における回動軸７ｃと同じ上下位置に形成された第一ロックピン８ａに係合させる。この際、係合孔に第一ロックピン８ａが挿入され、係合部材がねじりバネにより付勢されることにより、係合部７ｅと第一ロックピン８ａとの係合状態は維持される。
【００３７】
このように、脚立１を脚立形態とする場合は、第一支柱３Ａと第二支柱３Ｂとをロック部７により連結することにより、梯子体２・２のなす角度を約３０度で固定するのである。この際、梯子体２・２に対して、梯子体２・２を回動させる方向に力が加わった場合でも、回動軸７ｃ、回動支点７ｄ、及び係合部７ｅが一直線上に配置されているため、第一ロック板７ａと第二ロック板７ｂとは相対回転しない。このため、梯子体２・２のなす角度は約３０度のままであり、脚立１は脚立状態を維持する。なお、係合部７ｅと第一ロックピン８ａとの係合状態を解除する際には、使用者が係合部材をねじりバネの付勢力に抗して変位させることにより、第一ロックピン８ａから係合部７ｅを離脱させることができるようになる。
【００３８】
脚立１を収納形態とする場合は、係合部７ｅを第一ロックピン８ａに係合させた状態で、第二ロック板７ｂを、回動支点７ｄを中心とする第一ロック板７ａからの反時計回り方向の角度が１８０度以下となるように回動させる。具体的には、回動支点７ｄに対して下方から力を加え、回動支点７ｄが上方に変位するように第一ロック板７ａと第二ロック板７ｂとを相対回転させる。これにより、梯子体２・２の角度規制が解除され、梯子体２・２のなす角度が約３０度よりも小さくなるように梯子体２・２を回動させることができる。そして、梯子体２・２のなす角度を約０度とすることにより、脚立１が収納状態となるのである。
【００３９】
脚立１を梯子形態とする場合は、梯子体２・２のなす角度を約１８０度に開いた状態で、係合部７ｅを第二支柱３Ｂの上端部（ヒンジ５の上部）に形成された第二ロックピン８ｂに係合させる。このように、第一支柱３Ａと第二支柱３Ｂとをロック部７により連結することにより、梯子体２・２のなす角度を約１８０度で固定するのである。この際、梯子体２・２に対して、梯子体２・２のなす角度が変わる方向に力が加わった場合でも、回動軸７ｃ、回動支点７ｄ、及び係合部７ｅが一直線上に配置されているため、第一ロック板７ａと第二ロック板７ｂとは相対回転しない。このため、梯子体２・２のなす角度は約１８０度のままであり、脚立１は梯子状態を維持する。
【００４０】
次に、図４から図９を用いて、脚立１の下端部に固定される接地部材１０について説明する。図４に示す如く、脚部６は接地部材１０が固定される固定対象物である。本実施形態に係る脚立１において、第一脚部６Ａ〜第四脚部６Ｄのそれぞれの下端部に接地部材１０が固定されている。本実施形態においては、第一脚部６Ａ〜第四脚部６Ｄに対応する接地部材１０を、それぞれ第一接地部材１０Ａ〜第四接地部材１０Ｄと記載している。以下においては、接地部材１０の説明として主に第一接地部材１０Ａについて記載することにより、第二接地部材１０Ｂ〜第四接地部材１０Ｄの詳細な説明を省略する。
【００４１】
図４から図９に示す如く、接地部材１０は、脚部６の下端部にその上端側が固定されるブラケット２０と、ブラケット２０の下端側に着脱可能とされるソール３０と、を備える。以下、ブラケット２０とソール３０について順次説明する。
【００４２】
図５から図７に示す如く、ブラケット２０は、一側面が開放された略四角筒状（脚部６の軸方向視で略コ字状）に一体的に形成された部材である。本実施形態においてブラケット２０は硬質のＡＢＳ樹脂で成形されるが、硬質素材であればポリアセタール樹脂やポリアミド樹脂等、他の素材を用いることも可能である。本実施形態に係るそれぞれの接地部材１０において、ブラケット２０は左右方向内側に開放側の面が向くように配設されている。
【００４３】
ブラケット２０は、それぞれが脚部６の軸方向に対して平行となるように形成される、第一壁部２１、第二壁部２２、及び、第三壁部２３を備える。第一壁部２１はブラケット２０において、脚立１の左右方向外側（第一接地部材１０Ａにおいては右側部）に配置される。第二壁部２２は脚立１の前後方向内側（第一接地部材１０Ａにおいては後側）で第一壁部２１に対して略直交して連続して配置される。第三壁部２３は脚立１の前後方向外側（第一接地部材１０Ａにおいては前側）で第二壁部２２と対向するように第一壁部２１に対して略直交して連続して配置される。本実施形態において、第二壁部２２は脚部６の軸方向の長さが第三壁部２３よりも下端側に短く形成されている。
【００４４】
ブラケット２０の内周側には、第一壁部２１の内周面として第一内周面２１ｉ、第二壁部２２の内周面として第二内周面２２ｉ、第三壁部２３の内周面として第三内周面２３ｉが形成される。第二壁部２２の外周面には、脚部６の軸方向に沿って突出するブラケット突条部２５が形成されている。
【００４５】
図６に示す如く、ブラケット２０の第一壁部２１における上端側の端面（第一端面２１ｔ）には、第一端面２１ｔに沿って第一挿入溝部２１ｇが形成される。図８に示す如く、第一内周面２１ｉには第一壁部２１の厚さ方向に弾性変形可能な固定突起２６が第一挿入溝部２１ｇの内部に向かって突出して形成されている。また、第二壁部２２における上端側の端面（第二端面２２ｔ）には、第一挿入溝部２１ｇと連通する第二挿入溝部２２ｇが形成される。さらに、第三壁部２３における上端側の端面（第三端面２３ｔ）には、第一挿入溝部２１ｇと連通する第三挿入溝部２３ｇが形成される。また、ブラケット２０の底面２０ｂには、第一壁部２１・第二壁部２２・第三壁部２３に沿って底面視で略Ｕ字状に係合溝部２０ｇが形成されている。第一挿入溝部２１ｇ、第二挿入溝部２２ｇ、第三挿入溝部２３ｇ、及び、係合溝部２０ｇは、ブラケット２０の内部で互いに連通している。
【００４６】
脚部６の下端部にブラケット２０を組付ける際は、図５中の矢印に示す如く、ブラケット２０の第一挿入溝部２１ｇ、第二挿入溝部２２ｇ、及び、第三挿入溝部２３ｇに、脚部６の第一板部６１、第二板部６２、及び、第三板部６３をそれぞれ挿入する。換言すれば、脚立１は、脚部６の断面形状を略コ字状とし、ブラケット２０を脚部６に沿った略コ字状に形成しているのである。これにより、ブラケット２０が脚部６の下端部で位置決めされる。この際、第一板部６１が固定突起２６を弾性変形させ、弾性力により復帰した固定突起２６が図８に示す如く固定孔６１ａに係合することにより、ブラケット２０が脚部６の下端部に組付けられる。
【００４７】
図５から図７に示す如く、ブラケット２０の第二壁部２２と第三壁部２３とにおける互いに対向する第二内周面２２ｉ及び第三内周面２３ｉには、上端部における第一壁部２１の近傍に、係合凹部２２ｈ・２３ｈが形成されている。
【００４８】
図５及び図７に示す如く、ブラケット２０の第二壁部２２と第三壁部２３との間における下端側には、脚部６の軸心と交差する平面（本実施形態においては前後左右に広がる平面）上に、リブ２４が形成されている。本実施形態においてリブ２４は第一壁部２１、第二壁部２２、及び、第三壁部２３の全てと連続する構成とされるが、リブ２４は第一壁部２１、第二壁部２２、及び、第三壁部２３のうちの少なくとも何れか一つと連続する構成であれば良い。
【００４９】
リブ２４には、第二壁部２２と第三壁部２３との中間部分に、第一壁部２１と反対の側（ブラケット２０における開放された側面の側）から切り欠かれたスリット２４ａが形成されている。また、リブ２４における略中央部には、リブ２４を貫通する係合孔部２４ｂが形成されている。本実施形態において、スリット２４ａと係合孔部２４ｂとは連通し、平面視で略Ｔ字状に形成されている。なお、係合孔部２４ｂはリブ２４の上面に凹部が形成されていればよく、必ずしもリブ２４を貫通して形成される必要はない。
【００５０】
図５から図７に示す如く、ソール３０は、筒状に形成された係合ブロック部３１と、板状に形成された接地部３２と、係合ブロック部３１と接地部３２とを連結する連結部３３と、を主な構成要素として一体的に構成されている。本実施形態においてソール３０は弾性を有するエラストマーで形成されるが、ソール３０は使用者が力を加えて変形する程度の弾性を有していれば良く、ソール３０の素材が一つに限定されることはない。
【００５１】
係合ブロック部３１は、ソール３０をブラケット２０に組付けた際には、図８に示す如くリブ２４よりもブラケット２０の上端側で、第二壁部２２と第三壁部２３の間の空間に介挿される。
【００５２】
係合ブロック部３１において、第二壁部２２及び第三壁部２３の側に向かって互いに背向する両面には、ブラケット２０にソール３０を組付けた際にブラケット２０の係合凹部２２ｈ・２３ｈと係合する係合凸部３１ａ・３１ａが形成されている。
【００５３】
また、ソール３０の係合ブロック部３１における接地部３２と反対側の上端面には、第二壁部２２と直交する方向に切り欠き溝３１ｂが形成されている。また、係合ブロック部３１には、第二壁部２２に対向する面と第三壁部２３に対向する面とを連通する連通孔３１ｃが開孔されている。また、係合ブロック部３１における接地部３２の側の端面には、ブラケット２０にソール３０を組付けた際に、ブラケット２０のリブ２４に形成された係合孔部２４ｂと係合する係合爪部３１ｄが突出して形成されている。
【００５４】
接地部３２は、ブラケット２０にソール３０を組付けた際に、ブラケット２０の下端面である底面２０ｂを被覆するための板状部材である。接地部３２は平面視における外形形状が、ブラケット２０と略同じ形状に形成される。このため、接地部３２における第二壁部２２の外周面と連続する面には、ブラケット突条部２５に連続する形でソール突条部３５が形成されている。即ち、第一接地部材１０Ａにおいては、ブラケット突条部２５とソール突条部３５とで突条部１０ａが構成されているのである。また、本実施形態において、ブラケット２０とソール３０とは同系色に彩色されている。このため、ブラケット２０にソール３０を組付けた際には、使用者は接地部材１０が同一の素材で一体的に構成されている印象を受けることになる。
【００５５】
図６に示す如く、接地部３２においてブラケット２０の側の面である上面３２ｔには、ブラケット２０にソール３０を組付けた際に係合溝部２０ｇと係合する係合突起部３２ａが平面視で略Ｕ字状に形成されている。また、接地部３２の下面である接地面３２ｂには、滑り止め溝３２ｃが複数本形成されている。また、本実施形態において、接地部３２は脚部６の軸方向に対して傾斜して設けられている。
【００５６】
連結部３３は係合ブロック部３１と接地部３２とを連結する。図８に示す如く、連結部３３はブラケット２０にソール３０を組付けた際に、第二壁部２２と第三壁部２３との間でリブ２４を跨いで、係合ブロック部３１と接地部３２とを連結する。換言すれば、ブラケット２０にソール３０を組付ける際に、リブ２４は係合ブロック部３１と接地部３２との間に挿入されるのである。
【００５７】
図６及び図８に示す如く、ソール３０における係合ブロック部３１と接地部３２との間には、係合ブロック部３１と接地部３２とを連結する補強リブ３４が連結部３３と略直交して連続して形成される。この補強リブ３４は、ブラケット２０にソール３０を組付けた際にブラケット２０のリブ２４に形成されたスリット２４ａに挿入される。
【００５８】
上記の如く構成された接地部材１０において、ブラケット２０にソール３０を組付ける際は、ソール３０の係合ブロック部３１をブラケット２０の第二壁部２２と第三壁部２３との間に挿入し、同時にブラケット２０のリブ２４をソール３０の係合ブロック部３１と接地部３２との間に挿入する。即ち、ブラケット２０のリブ２４に、ソール３０の係合ブロック部３１を係合させるのである。この際、使用者は弾性素材であるソール３０を弾性変形させながら、ブラケット２０に対して組付ける。なお、ブラケット２０にソール３０を組付けた際には、図８及び図９に示す如く係合ブロック部３１と脚部６の第一板部６１との間に、踏桟リブ４ｃの下端部を挿入可能なスペースＳが形成される。
【００５９】
本実施形態に係る接地部材１０、及び、接地部材１０を備える脚立１においては、ブラケット２０の固定突起２６が脚部６の下端部に形成された固定孔６１ａと係合することにより固定される構成としている。このため、接地部材１０に対して脚部６の先端方向に外力が加わった場合でも、脚部６から接地部材１０が離脱することを防止できる。
【００６０】
また、ブラケット２０とソール３０とは、係合ブロック部３１とリブ２４とが係合することにより、容易に離脱することがない。詳細には、ソール３０をブラケット２０から離脱させようとした場合、ソール３０の係合ブロック部３１を、ブラケット２０の第一壁部２１から引き離す方向に回転させる必要があるが、脚立１の使用時においてこのような外力が加わることはない。即ち、本実施形態に係る接地部材１０によれば、通常の使用時においてソール３０がブラケット２０から離脱することはない。
【００６１】
また、本実施形態に係る接地部材１０、及び、接地部材１０を備える脚立１においては、ソール３０の摩耗により交換等の必要がある場合は、使用者がソール３０を弾性変形させることにより、ブラケット２０とソール３０との係合を解除し、ブラケット２０からソール３０を離脱させることができる。即ち、リベットやネジ等の固定具を取り外すことなくソール３０を交換できるため、ブラケット２０に対してソール３０を着脱する作業を簡易に行うことができ、使用者の作業負担を低減させることができる。
【００６２】
また、本実施形態に係る接地部材１０は、ブラケット２０が剛性素材で形成され、ソール３０がブラケット２０よりも剛性が低く弾性変形可能な素材で形成されている。つまり、ブラケット２０に対してソール３０を着脱する際に、ソール３０が変形しやすく構成されているため、交換作業をより簡易に行うことができ、使用者の作業負担をより低減させることができるのである。
【００６３】
本実施形態に係る接地部材１０においては、ソール３０の係合ブロック部３１に、切り欠き溝３１ｂを形成することにより、使用者がソール３０を弾性変形しやすいように構成している。具体的には、使用者がブラケット２０に対してソール３０を着脱する際に、係合ブロック部３１の上端を厚さ方向に変形させることで、係合ブロック部３１の第二壁部２２と第三壁部２３との間への挿入を容易としている。また、切り欠き溝３１ｂは使用者がブラケット２０に対してソール３０を着脱する際に指等を掛ける係止部としても機能する。
【００６４】
また、接地部材１０においては、ソール３０の係合ブロック部３１に、連通孔３１ｃを形成することにより、使用者がソール３０を弾性変形しやすいように構成している。具体的には、使用者がブラケット２０に対してソール３０を着脱する際に、係合ブロック部３１を第一壁部２１に対して近接離間する方向に斜めに変形させることで、係合ブロック部３１の第二壁部２２と第三壁部２３との間への挿入を容易としている。
【００６５】
また、接地部材１０においては、ソール３０における係合ブロック部３１と接地部３２との間に、係合ブロック部３１と接地部３２とを連結する補強リブ３４を形成している。これにより、ソール３０をブラケット２０に着脱する際に弾性変形しても、連結部３３の強度が低下することを防止している。また、リブ２４にスリット２４ａを形成することにより、補強リブ３４がリブ２４と干渉することを防止している。
【００６６】
本実施形態に係る接地部材１０において、ブラケット２０にソール３０を組付けた際には、ソール３０の接地部３２に形成された係合突起部３２ａが、図８に示す如くブラケット２０の底面２０ｂに形成された係合溝部２０ｇに挿入されることにより係合する。これにより、ブラケット２０に対する接地部３２の水平方向の変位を規制し、接地部材１０の形状安定性を向上させるとともに、ソール３０がブラケット２０からより離脱しにくくしている。なお、本実施形態においてはソール３０に係合突起部３２ａを形成し、ブラケット２０に係合溝部２０ｇを形成する構成としているが、ソール３０に係合溝部、ブラケット２０に係合突起部を形成する構成とすることも可能である。
【００６７】
また、接地部材１０において、ブラケット２０にソール３０を組付けた際には、ソール３０の係合ブロック部３１に形成された係合凸部３１ａ・３１ａが、図９に示す如くブラケット２０の第二内周面２２ｉ・第三内周面２３ｉに形成された係合凹部２２ｈ・２３ｈに挿入されることにより係合する。これにより、ブラケット２０に対する係合ブロック部３１の水平方向（詳細には第一壁部２１と直交する方向）の変位を規制し、接地部材１０の形状安定性を向上させるとともに、ソール３０がブラケット２０からより離脱しにくくしている。なお、本実施形態においてはソール３０に係合凸部３１ａ・３１ａを形成し、ブラケット２０に係合凹部２２ｈ・２３ｈを形成する構成としているが、ソール３０に係合凹部、ブラケット２０に係合凸部を形成する構成とすることも可能である。
【００６８】
また、接地部材１０において、ブラケット２０にソール３０を組付けた際には、ソール３０の係合ブロック部３１に形成された係合爪部３１ｄが、図８に示す如くブラケット２０のリブ２４に形成された係合孔部２４ｂに挿入されることにより係合する。これにより、リブ２４に対する係合ブロック部３１の水平方向（詳細には第一壁部２１と直交する方向）の変位を規制し、接地部材１０の形状安定性をさらに向上させるとともに、ソール３０がブラケット２０からより離脱しにくくしている。なお、本実施形態においてはソール３０に係合爪部３１ｄを形成し、リブ２４に係合孔部２４ｂを形成する構成としているが、ソール３０に係合孔部、ブラケット２０に係合爪部を形成する構成とすることも可能である。
【００６９】
また、本実施形態に係る脚立１においては、脚部６の断面形状を略コ字状とし、ブラケット２０を脚部６に沿った略コ字状に形成している。そして、ソール３０の係合ブロック部３１をブラケット２０の第二壁部２２及び第三壁部２３の間に挿入することで、係合ブロック部３１を脚部６の第二板部６２と第三板部６３との間にも配置している。このため、ソール３０の係合ブロック部３１は、ブラケット２０の内周側に配置されるとともに、脚部６の内部にも挿入されることになる。即ち、ソール３０は周囲をブラケット２０と脚部６とで保護されるため、接地部材１０を脚部６に結合した際の形状安定性をより大きくしているのである。
【００７０】
また、本実施形態に係る接地部材１０においては、第二壁部２２の脚部６の軸方向の長さを第三壁部２３よりも下端側に短く形成し、接地部３２を脚部６の軸方向に対して傾斜して設けている。これにより、脚立１の梯子体２を地面に対して斜めに配置しても、接地部３２の接地面３２ｂを地面と密着させることが可能となる。即ち、脚立１を脚立形態又は梯子形態の何れの形態で使用する場合でも、脚立１の安定性を確保することができる。なお、接地部材の形状は本実施形態に係る形状に限定されるものではない。具体的には、接地部を脚部の軸方向と直交する形状や、接地部を円弧状とする形状とすることも可能である。
【００７１】
また、本実施形態に係る脚立１において、第一支柱３Ａの第一脚部６Ａには第一接地部材１０Ａが固定され、第一支柱３Ａに対して近接離間可能な第二支柱３Ｂの第二脚部６Ｂには第二接地部材１０Ｂが固定される。そして、図３に示す如く、第一接地部材１０Ａにおける第二接地部材１０Ｂと対向する側の面（後面）には、第一支柱３Ａの軸方向に沿って突出する突条部１０ａが形成されている。一方、第二接地部材１０Ｂ（詳細には、第二接地部材１０Ｂを構成するブラケット２０及びソール３０）における第一接地部材１０Ａと対向する側の面（前面）には、第二支柱３Ｂの軸方向に沿って陥没する溝条部１０ｂが形成されている。また、第四接地部材１０Ｄには第一接地部材１０Ａと同様に突条部１０ａが形成され、第三接地部材１０Ｃには第二接地部材１０Ｂと同様に溝条部１０ｂが形成されている。
【００７２】
上記の如く構成された脚立１において、第一支柱３Ａと第二支柱３Ｂとが近接して脚立１が収納形態となった際には、第一・第四接地部材１０Ａ・１０Ｄの突条部１０ａが、第二・第三接地部材１０Ｂ・１０Ｃの溝条部１０ｂに挿入されるのである。これにより、脚立１を収納状態とした際に、梯子体２・２が踏桟４の架設方向に相対変位することを防ぎ、脚立１の形態安定性を確保しているのである。なお、接地部材１０に上記の突条部１０ａ及び溝条部１０ｂを形成しない構成とすることも可能である。
【符号の説明】
【００７３】
１        脚立（昇降道具）         ２        梯子体
２Ａ      第一梯子体               ２Ｂ      第二梯子体
３        支柱                     ３Ａ      第一支柱
３Ｂ      第二支柱                 ３Ｃ      第三支柱
３Ｄ      第四支柱                 ４        踏桟
４ａ      天板                     ４ｂ      リベット
４ｃ      踏桟リブ                 ５        ヒンジ
５ａ      第一ヒンジ部             ５ｂ      第二ヒンジ部
５ｃ      回動支持部               ６        脚部
６Ａ      第一脚部                 ６Ｂ      第二脚部
６Ｃ      第三脚部                 ６Ｄ      第四脚部
７        ロック部                 ７ａ      第一ロック板
７ｂ      第二ロック板             ７ｃ      回動軸
７ｄ      連結軸                   ７ｅ      係合部
８ａ      第一ロックピン           ８ｂ      第二ロックピン
１０        接地部材               １０Ａ      第一接地部材
１０Ｂ      第二接地部材           １０Ｃ      第三接地部材
１０Ｄ      第四接地部材           １０ａ      突条部
１０ｂ      溝条部                 ２０        ブラケット
２０ｂ      底面                   ２０ｇ      係合溝部
２１        第一壁部               ２１ｇ      第一挿入溝部
２１ｉ      第一内周面             ２１ｔ      第一端面
２２        第二壁部               ２２ｇ      第二挿入溝部
２２ｈ      第二係合凹部           ２２ｉ      第二内周面
２２ｔ      第二端面               ２３        第三壁部
２３ｇ      第三挿入溝部           ２３ｈ      第三係合凹部
２３ｉ      第三内周面             ２３ｔ      第三端面
２４        リブ                   ２４ａ      スリット
２４ｂ      係合孔部               ２５        ブラケット突条部
２６        固定突起               ３０        ソール
３１        係合ブロック部         ３１ａ      係合凸部
３１ｂ      切り欠き溝             ３１ｃ      連通孔
３２        接地部                 ３２ａ      係合突起部
３２ｂ      接地面                 ３２ｃ      滑り止め溝
３２ｔ      上面                   ３３        連結部
３４        補強リブ               ３５        ソール突条部
６１        第一板部               ６１ａ      固定孔
６２        第二板部               ６３        第三板部
Ａ        回動軸                   Ｓ        スペース
【図１】
2019070264.tif 000003
【図２】
2019070264.tif 000004
【図３】
2019070264.tif 000005
【図４】
2019070264.tif 000006
【図５】
2019070264.tif 000007
【図６】
2019070264.tif 000008
【図７】
2019070264.tif 000009
【図８】
2019070264.tif 000010
【図９】
2019070264.tif 000011